(57)【要約】【課題】包装容器の下端に衝撃が作用した場合でも、簡単な構造で包装対象物の破損を抑える技術を提供する。【解決手段】筒状の本体部２と、当該本体部２の下側の開口を閉塞する底部４とを備える包装容器１である。底部４は、内側に行くほど上方に向かって傾斜する傾斜面を有していて、本体部２の内方に窪んでいる。【選択図】図１
2017114530.tif 000002
【特許請求の範囲】
【請求項１】
筒状の本体部と、当該本体部の下側の開口を閉塞する底部と、を備える包装容器であって、
上記底部は、内側に行くほど上方に向かって傾斜する傾斜面を有していて、少なくとも一部が上記本体部の内方に窪んでいることを特徴とする包装容器。
【請求項２】
上記請求項１に記載の包装容器において、
上記本体部は、多角形筒状であり、
上記傾斜面は、上記本体部の各底辺から傾斜して延びていることを特徴とする包装容器。
【請求項３】
上記請求項２に記載の包装容器において、
上記底部は、多角錐状に窪んでいることを特徴とする包装容器。
【請求項４】
上記請求項３に記載の包装容器において、
上記本体部は、正方形筒状であり、
上記底部は、上記本体部と共に扁平状に折り畳まれた状態から、上記本体部が正方形筒状に変形するのに伴って四角錐状に窪むことを特徴とする包装容器。
【請求項５】
上記請求項３に記載の包装容器において、
上記本体部は、長方形筒状であり、
上記底部は、上記本体部と共に扁平状に折り畳まれた状態から、上記本体部が長方形筒状に変形するのに伴って寄棟状に窪むことを特徴とする包装容器。
【請求項６】
上記請求項４または５に記載の包装容器において、
上記底部は、扁平状に折り畳まれた状態では、上記本体部の相隣接する２つの底辺とそれぞれ繋がる第１および第２底部に分かれている一方、上記本体部が角筒状になった状態では、当該第１底部と当該第２底部とが繋がるように構成されており、
上記第１および第２底部には、上記本体部が角筒状になった際に、互い係合する係合部がそれぞれ設けられていることを特徴とする包装容器。
【発明の詳細な説明】
【技術分野】
【０００１】
本発明は、包装対象物を収容する包装容器に関し、特に、包装対象物の破損を抑えるための緩衝機能を備える包装容器に関するものである。
【背景技術】
【０００２】
床への落下等により包装容器の下端に衝撃が作用した場合に、包装容器に収容されたガラス瓶等の壊れ易い包装対象物の破損を抑えるべく、緩衝機能を備えるようにした包装容器が従来から知られている。
【０００３】
例えば、特許文献１には、対向する一対の側面の下端に設けられた一対のフラップと、フラップの端部に連続して略直角に箱体内側に立ち上がる第１支持片と、第１支持片の端部に連続してフラップに対して略平行に位置する第２支持片とを備え、適度に撓む第１支持片と第２支持片とで包装対象物を支持するようにした緩衝機能付包装用箱が開示されている。
【先行技術文献】
【特許文献】
【０００４】
【特許文献１】特開２００８−１４３５６５号公報
【発明の概要】
【発明が解決しようとする課題】
【０００５】
しかしながら、上記特許文献１のものを含む従来の包装容器では、緩衝機能を付与するために、例えば第１および第２支持片等といった本来包装容器において不可欠ではない要素を付加することから、得てして構造が複雑になるという問題がある。
【０００６】
本発明はかかる点に鑑みてなされたものであり、その目的とするところは、包装容器の下端に衝撃が作用した場合でも、簡単な構造で包装対象物の破損を抑える技術を提供することにある。
【課題を解決するための手段】
【０００７】
前記目的を達成するため、本発明に係る包装容器では、包装容器において不可欠な要素であり、従来平坦に形成されてきた底部を上方に窪ませることにより、包装容器の下端よりも高い位置で包装対象物を支持するようにしている。
【０００８】
具体的には、本発明は、筒状の本体部と、当該本体部の下側の開口を閉塞する底部と、を備える包装容器を対象としている。
【０００９】
そして、上記底部は、内側に行くほど上方に向かって傾斜する傾斜面を有していて、少なくとも一部が上記本体部の内方に窪んでいることを特徴とするものである。
【００１０】
この構成によれば、底部が傾斜面を有していて少なくとも一部が本体部の内方に窪んでいることから、包装対象物を本体部に収容すると、底部の上端部が包装対象物の底に当たるので、包装対象物を本体部の下端よりも上側で支持することができる。これにより、包装容器の下端に衝撃が作用した場合でも、包装容器において不可欠な要素である底部を窪ませるという簡単な構造で包装対象物の破損を抑えることができる。
【００１１】
また、上記包装容器では、上記本体部は、多角形筒状であり、上記傾斜面は、上記本体部の各底辺から傾斜して延びていることが好ましい。
【００１２】
この構成によれば、傾斜面が本体部の各底辺から傾斜して延びていることから、底部全体が本体部の内方に窪むことになるので、包装対象物を確実に本体部の下端よりも上側で支持することができる。なお、全体が窪む底部は、例えば、角錐状に窪んでいてもよいし、角錐台状に窪んでいてもよい。
【００１３】
さらに、上記包装容器では、上記底部は、多角錐状に窪んでいることが好ましい。
【００１４】
この構成によれば、底部を多角錐状に窪ませることで、例えば底部を角錐台状（切頭多角錐状）に窪ませる場合に比して、包装容器の構造をより一層簡単にすることができる。
【００１５】
また、上記包装容器では、上記本体部は、正方形筒状であり、上記底部は、上記本体部と共に扁平状に折り畳まれた状態から、上記本体部が正方形筒状に変形するのに伴って四角錐状に窪むことが好ましい。
【００１６】
この構成によれば、保管時や搬送時には包装容器を扁平状に折り畳むことができる一方、包装対象物を箱詰めする際には、包装容器をワンタッチで箱状に形成することが可能となることから、保管時や搬送時における利便性および箱詰め作業における作業性を向上させることができる。
【００１７】
ところで、包装容器では、例えば円筒状のガラス瓶を複数並列に並べて収容したり、横長の包装対象物を収容したりする場合があることから、扁平状に折り畳まれた包装容器をワンタッチで箱状に形成するという構成は、正方形筒状の本体部を有する包装容器のみならず、長方形筒状の本体部を有する包装容器にも適用することが望ましい。
【００１８】
そこで、上記包装容器では、上記本体部は、長方形筒状であり、上記底部は、上記本体部と共に扁平状に折り畳まれた状態から、上記本体部が長方形筒状に変形するのに伴って寄棟状に窪むことが好ましい。
【００１９】
なお、「寄棟状」とは、窪みを構成する面が、窪みの最上部から４方向に分かれている形状を意味し、より具体的には、上底同士が一致し且つ下底に向かうほど互いに離れるように傾斜する一対の等脚台形状の傾斜面と、これら一対の傾斜面の両端部でＶ字状をなす脚とその二等辺とが一致する一対の二等辺三角形状の傾斜面と、からなることを意味する。
【００２０】
この構成によれば、長方形筒状の本体部を有する包装容器においても、包装容器をワンタッチで箱状に形成することが可能となることから、保管時や搬送時における利便性および箱詰め作業における作業性を向上させることができる。
【００２１】
さらに、上記包装容器では、上記底部は、扁平状に折り畳まれた状態では、上記本体部の相隣接する２つの底辺とそれぞれ繋がる第１および第２底部に分かれている一方、上記本体部が角筒状になった状態では、当該第１底部と当該第２底部とが繋がるように構成されており、上記第１および第２底部には、上記本体部が角筒状になった際に、互い係合する係合部がそれぞれ設けられていることが好ましい。
【００２２】
この構成によれば、第１および第２底部にそれぞれ係合部を設けるという簡単な構造で、底部が四角錐状または寄棟状に窪んだ状態を維持させることができる。
【発明の効果】
【００２３】
以上説明したように、本発明に係る包装容器によれば、包装容器の下端に衝撃が作用した場合でも、簡単な構造で包装対象物の破損を抑えることができる。
【図面の簡単な説明】
【００２４】
【図１】本発明の実施形態１に係る包装容器を模式的に示す斜視図であり、同図（ａ）は包装容器を斜め上方から見た図であり、同図（ｂ）は包装容器を斜め下方から見た図である。
【図２】包装容器の展開図である。
【図３】包装容器の組み立て手順を模式的に示す図である。
【図４】包装容器を扁平状に折り畳んだ状態を模式的に示す図である。
【図５】包装容器の変形過程を模式的に示す図である。
【図６】同図（ａ）は図１のVIａ−VIａ線の矢視断面図であり、同図（ｂ）は同図（ａ）のVIｂ−VIｂ線の矢視断面図である。
【図７】包装対象物を収容した状態を模式的に示す図である。
【図８】本発明の実施形態２に係る包装容器を模式的に示す、斜め下方から見た斜視図である。
【図９】包装容器の展開図である。
【図１０】包装容器を模式的に示す、斜め正面から見た斜視図である。
【図１１】その他の実施形態に係る包装容器を模式的に示す斜視図である。
【図１２】その他の実施形態に係る包装容器を模式的に示す斜視図である。
【図１３】その他の実施形態に係る包装容器を模式的に示す斜視図である。
【発明を実施するための形態】
【００２５】
以下、本発明を実施するための形態を図面に基づいて説明する。なお、以下の説明において、「折り線」とは、例えば、切込み溝を入れたり、エンボス加工を施したりすること等により形成された、折り位置を明示するとともに紙を折り易くする線を意味し、例えばこのような折り線に沿って、実際に折り曲げられた部位を「折り目」と称する。
【００２６】
（実施形態１）
図１は、本実施形態に係る包装容器１を模式的に示す斜視図であり、同図（ａ）は包装容器１を斜め上方から見た図であり、同図（ｂ）は包装容器１を斜め下方から見た図であり、図２は、包装容器１の展開図である。この包装容器１は、正方形筒状の本体部２と、本体部２の上側の開口を閉塞する蓋部３と、本体部２の下側の開口を閉塞する底部４と、を備えており、例えばバイアル瓶等のガラス容器（包装対象物）１１０（図７参照）を、その内部に収納可能に構成されている。
【００２７】
本体部２は、相対向する正面板５および背面板７と、相対向する一対の側面板６，８（図２参照）と、を有している。正面板５は、側面板６，８とそれぞれ折り目２１，２４を介して直交するように連設され、背面板７は、側面板６，８とそれぞれ折り目２２，２３を介して直交するように連設されている。
【００２８】
蓋部３は、図１（ａ）に示すように、背面板７と折り目２７を介して連設される上面板９と、上面板９と折り目２５を介して連設される差し込み片９ａと、一対の側面板６，８とそれぞれ折り目２６，２８を介して連設されるフラップ６ａ，８ａとで構成されている。
【００２９】
底部４は、正面板５と折り目２９を介して連設される第１底板１０と、側面板６と折り目３０を介して連設される第２底板１１と、背面板７と折り目３１を介して連設される第３底板１２と、側面板８と折り目３２を介して連設される第４底板１３と、を有していて、図１（ｂ）に示すように、本体部２の内方に四角錐状に窪んでいる。
【００３０】
包装容器１は、コートボールを図２に示す展開図に沿って打ち抜いた後、折り線に沿って折り曲げるとともに、所定部分を糊付することによって組み立てられるものである。なお、図２は、本体部２の外面側が図の表側となるように記載されている。
【００３１】
−展開図−
図２に示す展開図において、矩形状の側面板６の左側には折り線２１ａを介して矩形状の正面板５が連設され、正面板５の左側には折り線２４ａを介して矩形状の側面板８が連設され、側面板８の左側には折り線２３ａを介して矩形状の背面板７が連設され、背面板７の左側には折り線２２ａを介して糊代部７ａが連設されている。また、側面板６および側面板８の上側には、フラップ６ａ，８ａがそれぞれ折り線２６ａ，２８ａを介して連設されている。さらに、背面板７の上側には折り線２７ａを介して正方形状の上面板９が連設され、上面板９の上側には折り線２５ａを介して差し込み片９ａが連設されている。
【００３２】
側面板６の下側には、底部４を構成する第２底板１１が折り線３０ａを介して連設されている。第２底板１１は、その底辺が側面板６の底辺と折り線３０ａを介して連設される二等辺三角形状の第２底板本体部１１ａと、第２底板本体部１１ａの左側の等辺と切り込み折り線３３ａを介して連設される糊代部１１ｂと、で構成されている。
【００３３】
正面板５の下側には、底部４を構成する第１底板１０が折り線２９ａを介して連設されている。第１底板１０は、その下底（長い底）が正面板５の底辺と折り線２９ａを介して連設される台形状の第１底板本体部１０ａと、第１底板本体部１０ａの上底（短い底）の左右両端部に設けられた２つの第１係合部１０ｂと、で構成されている。
【００３４】
側面板８の下側には、底部４を構成する第４底板１３が折り線３２ａを介して連設されている。第４底板１３は、その底辺が側面板８の底辺と折り線３２ａを介して連設される二等辺三角形状の第４底板本体部１３ａと、第４底板本体部１３ａの左側の等辺と切り込み折り線３４ａを介して連設される糊代部１３ｂと、で構成されている。
【００３５】
背面板７の下側には、底部４を構成する第３底板１２が折り線３１ａを介して連設されている。第３底板１２は、その下底（長い底）が背面板７の底辺と折り線３１ａを介して連設される台形状の第３底板本体部１２ａと、第３底板本体部１２ａの上底（短い底）の左右中央部に設けられ、２つの第１係合部１０ｂの間に嵌る第２係合部１２ｂと、で構成されている。
【００３６】
このように、本実施形態の包装容器１には、糊代部７ａ、糊代部１１ｂおよび糊代部１３ｂという３か所の糊代しかなく、簡単な構成になっている。
【００３７】
−組み立て手順−
次に、以上のように構成された包装容器１の組み立て手順について説明する。
【００３８】
先ず、図２の展開図に従ってコートボールを打ち抜くとともに、図２の裏面が表側になるように反転させる。そうして、図３（ａ）に示すように、側面板６と重なるように第２底板１１を折り線３０ａに沿って谷折りし、正面板５と重なるように第１底板１０を折り線２９ａに沿って谷折りし、側面板８と重なるように第４底板１３を折り線３２ａに沿って谷折りし、背面板７と重なるように第３底板１２を折り線３１ａに沿って谷折りする。
【００３９】
次いで、図３（ｂ）に示すように、第２底板１１において、第２底板本体部１１ａと重なるように糊代部１１ｂを切り込み折り線３３ａに沿って谷折りするとともに、第４底板１３において、第４底板本体部１３ａと重なるように糊代部１３ｂを切り込み折り線３４ａに沿って谷折りする。そうして、図３（ｂ）のハッチングで示すように、谷折りすることで表側を向いた糊代部１１ｂおよび糊代部１３ｂの内側面に接着剤を塗布する。
【００４０】
次いで、図３（ｃ）に示すように、側面板８と重なるように背面板７を折り線２３ａに沿って谷折りする。側面板８と背面板７とが重なると、同時に第４底板１３と第３底板１２とが重なることから、接着剤が塗布された糊代部１３ｂの内側面が第３底板１２の外側面に貼り付けられる。これにより、糊代部１３ｂを介して、第３底板１２と第４底板本体部１３ａの等辺とが連設される。そうして、図３（ｃ）のハッチングで示すように、谷折りすることで表側を向いた糊代部７ａの外側面に接着剤を塗布する。
【００４１】
次いで、図３（ｄ）に示すように、正面板５と重なるように側面板６を折り線２１ａに沿って谷折りする。これにより、接着剤が塗布された糊代部７ａの外側面が側面板６の内側面に貼り付けられる。また、これと同時に、第２底板１１と第１底板１０とが重なることから、接着剤が塗布された糊代部１１ｂの内側面が第１底板１０の外側面に貼り付けられ、糊代部１１ｂを介して第１底板１０と第２底板本体部１１ａの等辺とが連設される。これにより、包装容器１の組み立てが完了する。
【００４２】
−包装容器の構造−
以上のようにして組み立てられた包装容器１は、扁平状に折り畳まれた状態から包装対象物を収容可能な有底筒状へワンタッチで変形可能なボトムロック式の包装容器として構成されている。
【００４３】
具体的には、包装容器１は、図４に示すように扁平状に折り畳まれた状態では、折り目２１が閉じられて正面板５と側面板６とが重なっているとともに、折り目２３が閉じられて背面板７と側面板８とが重なっている。また、正面板５の底辺と繋がる第１底板１０および側面板６の底辺と繋がる第２底板１１（以下、これら第１および第２底板１０，１１を併せて第１底部４ａとも称する。）は、折り重なった正面板５と側面板６との間で、折り目２９，３０，３３が閉じられて折り重なっている。さらに、背面板７の底辺と繋がる第３底板１２および側面板８の底辺と繋がる第４底板１３（以下、これら第３および第４底板１２，１３を併せて第２底部４ｂとも称する。）は、折り重なった背面板７と側面板８との間で、折り目３１，３２，３４が閉じられて折り重なっている。このように、本実施形態の包装容器１は、扁平状に折り畳めば嵩張らないことから、保管時や搬送時の利便性を向上させることができる。
【００４４】
そして、包装対象物を包装容器１に収容するべく、包装容器１を有底筒状へ変形させる場合には、折り目２１と折り目２３とに、図５の白抜き矢印で示す方向に力を加えるだけで、包装容器１が扁平状に折り畳まれた状態から立体的な形状へと変化する。
【００４５】
より詳しくは、本体部２については、折り目２１と折り目２３とに力を加えると、閉じていた折り目２１，２３が開くのに伴い、折り目２１と折り目２３とが対角方向に近づくとともに、扁平状に繋がっていた正面板５と側面板８と（および背面板７と側面板６と）が、折り線２４ａ（折り線２２ａ）に沿って折り曲がり、折り目２２，２４が閉じるのに伴い、折り目２２と折り目２４とが対角方向に離れる。そうして、折り目２１，２３が９０°まで開くとともに、折り目２２，２４が９０°まで閉じると、正面板５と背面板７とが対向し且つ側面板６と側面板８とが対向する、正方形筒状の本体部２が形成される。
【００４６】
一方、底部４については、本体部２と共に扁平状に折り畳まれた状態から、本体部２が正方形筒状に変形するのに伴って四角錐状に窪むように構成されている。
【００４７】
より詳しくは、閉じていた折り目２１が開くのに伴い、閉じていた折り目２９，３０，３３が開いて、折り重なっていた第１底部４ａが展開されるとともに、閉じていた折り目２３が開くのに伴い、閉じていた折り目３１，３２，３４が開いて、折り重なっていた第２底部４ｂが展開される。これと併行して、折り目２２，２４が閉じるのに伴い、図５に示すように、２つの部位に分かれていた第１底部４ａと第２底部４ｂとが対角方向に近づく。そうして、正方形筒状の本体部２が形成されると、折り目２９，３０，３１，３２がそれぞれ約６０°まで開き、図６（ａ）に示すように、第１底板本体部１０ａの上底と第３底板本体部１２ａの上底とが当接するとともに、第２底板本体部１１ａにおける糊代部１１ｂとは反対側の等辺が第３底板１２の外側面に当接し、且つ、第４底板本体部１３ａにおける糊代部１３ｂとは反対側の等辺が第１底板１０の外側面に当接することで、本体部２の下側の開口が閉塞される。
【００４８】
このとき、図６（ｂ）に示すように、第１底板１０の２つの第１係合部１０ｂの間に、第３底板１２の第２係合部１２ｂが嵌ることで、両者が係合し（ロックが掛かり）、本体部２が正方形筒状になり、且つ、第１底部４ａと第２底部４ｂとが繋がり、本体部２の下側の開口が底部４によって閉塞された状態が維持される。
【００４９】
このように形成された底部４では、第２底板本体部１１ａが側面板６の底辺から内側に行くほど上方に向かって約３０°傾斜する二等辺三角形状の傾斜面を構成するとともに、第４底板本体部１３ａが側面板８の底辺から内側に行くほど上方に向かって約３０°傾斜する二等辺三角形状の傾斜面を構成する。
【００５０】
また、台形状の第１底板本体部１０ａは、糊代部１１ｂを介して第２底板本体部１１ａの等辺が連設されるとともに、第４底板本体部１３ａの等辺が当接することで、その一部が第２および第４底板本体部１１ａ，１３ａによって外側から隠れ、二等辺三角形状の部分のみが底部４の外表面に表れることになる。同様に、台形状の第３底板本体部１２ａは、糊代部１３ｂを介して第４底板本体部１３ａの等辺が連設されるとともに、第２底板本体部１１ａの等辺が当接することで、その一部が第２および第４底板本体部１１ａ，１３ａによって外側から隠れ、二等辺三角形状の部分のみが底部４の外表面に表れることになる。これらにより、底部４では、第１底板本体部１０ａの外表面に表れた部分が、正面板５の底辺から内側に行くほど上方に向かって約３０°傾斜する二等辺三角形状の傾斜面を構成するとともに、第３底板本体部１２ａの外表面に表れた部分が、背面板７の底辺から内側に行くほど上方に向かって約３０°傾斜する二等辺三角形状の傾斜面を構成する。
【００５１】
以上のように、本体部２の各底辺から傾斜して延びる４つの二等辺三角形状の傾斜面を有することで、底部４は四角錐状に窪むことになる。
【００５２】
このように、底部４が四角錐状に窪んだ包装容器１に、図７に示すように、ガラス容器１１０を挿入すると、第１底板１０および第３底板１２の上端部がガラス容器１１０の底に当たるので、ガラス容器１１０を本体部２の下端よりも上側で支持することができる。これにより、包装容器１の下端に衝撃が作用した場合でも、底部４が四角錐状に窪んだ簡単な構造でガラス容器１１０の破損を抑えることができる。
【００５３】
しかも、第１底板１０および第３底板１２には、糊代部１１ｂおよび糊代部１３ｂがそれぞれ貼り付けられているので、ガラス容器１１０を直接支持する第１底板１０および第３底板１２の強度を高めることができる。さらに、第１底板１０には、第２底板本体部１１ａの等辺が連設されるとともに第４底板本体部１３ａの等辺が当接し、また、第３底板１２には、第４底板本体部１３ａの等辺が連設されるとともに第２底板本体部１１ａの等辺が当接していることから、第１底板１０および第３底板１２に作用する力（ガラス容器１１０の重量）を、第２底板１１および第４底板１３に分散させることができる。このように、本実施形態の包装容器１では、第１底板１０および第３底板１２の強度の向上と、第２底板１１および第４底板１３への力の分散と、が相俟って、ガラス容器１１０を直接支持する第１底板１０および第３底板１２の折れ曲がりによる底部４の落ち込みを抑制することが可能となっている。
【００５４】
なお、本実施形態では、水平方向に対して約３０°傾斜する第１〜第４底板１０，１１，１２，１３によって四角錐状の窪みを形成したが、これはあくまでも例示であり、第１〜第４底板１０，１１，１２，１３の水平方向に対する傾斜角を調整することで（第１〜第４底板１０，１１，１２，１３の長さを調整することで）、底部４の窪みの深さ（底緩衝高さ）を自由に変更することができる。これにより、壊れ難いガラス容器１１０の場合には底部４の窪みを浅くする一方、壊れ易いガラス容器１１０の場合には底部４の窪みを深くするといった具合に、ガラス容器１１０の強度に応じた緩衝作用を有する包装容器１を実現することができる。
【００５５】
（実施形態２）
本実施形態は、本体部４２が長方形筒状であり且つ底部４４が寄棟状に窪んでいる点が、上記実施形態１と異なるものである。以下、実施形態１と異なる点を中心に説明する。
【００５６】
図８は、本実施形態に係る包装容器４１を模式的に示す、斜め下方から見た斜視図であり、図９は、包装容器４１の展開図である。包装容器４１は、長方形筒状の本体部４２と、本体部４２の上側の開口を閉塞する蓋部４３と、本体部４２の下側の開口を閉塞する底部４４と、を備えている。
【００５７】
本体部４２は、相対向する一対の側面板４６，４８（図９参照）と、側面板４６，４８とそれぞれ折り目６１，６４を介して直交するように連設される正面板４５と、側面板４６，４８とそれぞれ折り目６２，６３（図１０参照）を介して直交するように連設される背面板４７（図９参照）と、を有している。蓋部４３は、背面板４７と連設される上面板４９と、上面板４９と連設される差し込み片４９ａと、一対の側面板４６，４８とそれぞれ連設されるフラップ４６ａ，４８ａとで構成されている。底部４４は、正面板４５、側面板４６、背面板４７および側面板４８とそれぞれ折り目６９，７０，７１，７２を介して連設される第１底板５０、第２底板５１、第３底板５２および第４底板５３を有していて、図８に示すように、本体部４２の内方に寄棟状に窪んでいる。なお、寄棟状に窪むとは、窪みを構成する面が、上底同士が一致し且つ下底に向かうほど互いに離れるように傾斜する一対の等脚台形状の傾斜面と、これら一対の傾斜面の両端部でＶ字状をなす脚とその二等辺とが一致する一対の二等辺三角形状の傾斜面と、からなることを意味する。
【００５８】
−展開図−
図９に示す展開図において、矩形状の側面板４６の左側には折り線６１ａを介して長方形状の正面板４５が連設され、正面板４５の左側には折り線６４ａを介して矩形状の側面板４８が連設され、側面板４８の左側には折り線６３ａを介して長方形状の背面板４７が連設され、背面板４７の左側には折り線６２ａを介して糊代部４７ａが連設されている。また、側面板４６および側面板４８の上側には、フラップ４６ａ，４８ａがそれぞれ折り線６６ａ，６８ａを介して連設されている。さらに、背面板４７の上側には折り線６７ａを介して長方形状の上面板４９が連設され、上面板４９の上側には折り線６５ａを介して差し込み片４９ａが連設されている。
【００５９】
側面板４６の下側には、その底辺が側面板４６の底辺と折り線７０ａを介して連設される二等辺三角形状の第２底板本体部５１ａと、第２底板本体部５１ａの左側の等辺と切り込み折り線７３ａを介して連設される糊代部５１ｂと、を有する第２底板５１が設けられている。正面板４５の下側には、その下底（長い底）が正面板４５の底辺と折り線６９ａを介して連設される台形状の第１底板本体部５０ａと、第１底板本体部５０ａの上底（短い底）の左右中央部および両端部に設けられた３つの第１係合部５０ｂと、を有する第１底板５０が設けられている。側面板４８の下側には、その底辺が側面板４８の底辺と折り線７２ａを介して連設される二等辺三角形状の第４底板本体部５３ａと、第４底板本体部５３ａの左側の等辺と切り込み折り線７４ａを介して連設される糊代部５３ｂと、を有する第４底板５３が設けられている。背面板４７の下側には、その下底（長い底）が背面板４７の底辺と折り線７１ａを介して連設される台形状の第３底板本体部５２ａと、第３底板本体部５２ａの上底（短い底）に設けられ、３つの第１係合部５０ｂの間に嵌る２つの第２係合部５２ｂと、を有する第３底板５２が設けられている。
【００６０】
−組み立て手順−
以上のように構成された包装容器４１は上記実施形態と同様の手順で組み立てられる。すなわち、図９の展開図に従ってコートボールを打ち抜くとともに、図９の裏面が表側になるように反転させる。そうして、側面板４６、正面板４５、側面板４８および背面板４７とそれぞれ重なるように第２底板５１、第１底板５０、第４底板５３および第３底板５２を折り線７０ａ，６９ａ，７２ａ，７１ａに沿ってそれぞれ谷折りする。
【００６１】
次いで、第２底板本体部５１ａおよび第４底板本体部５３ａとそれぞれ重なるように糊代部５１ｂおよび糊代部５３ｂを切り込み折り線７３ａ，７４ａに沿ってそれぞれ谷折りし、糊代部５１ｂおよび糊代部５３ｂの内側面に接着剤を塗布する。
【００６２】
次いで、側面板４８と重なるように背面板４７を折り線６３ａに沿って谷折りして、第４底板５３と第３底板５２とを重ねることで、糊代部５３ｂの内側面を第３底板５２の外側面に貼り付けた後、糊代部４７ａの外側面に接着剤を塗布する。
【００６３】
次いで、正面板４５と重なるように側面板４６を折り線６１ａに沿って谷折りして、第２底板５１と第１底板５０とを重ねることで、糊代部４７ａの外側面が側面板４６の内側面に貼り付けられるとともに、糊代部５１ｂの内側面が第１底板５０の外側面に貼り付けられて、包装容器４１の組み立てが完了する。
【００６４】
−包装容器の構造−
以上のようにして組み立てられた包装容器４１も、上記実施形態１の包装容器１と同様に、扁平状に折り畳まれた状態から包装対象物を収容可能な有底筒状へワンタッチで変形可能なボトムロック式の包装容器として構成されている。なお、本実施形態においても、第１および第２底板５０，５１を併せて第１底部４４ａと称し、第３および第４底板５２，５３を併せて第２底部４４ｂと称する。
【００６５】
すなわち、本体部４２と上記本体部２との違いは、長方形筒状か正方形筒状かだけであり、本体部４２についても、折り目６１，６３が閉じられて正面板４５と側面板４６とが重なり且つ背面板４７と側面板４８とが重なった扁平状態から、折り目６１と折り目６３とに力を加えると、折り目６１と折り目６３とが対角方向に近づくとともに、折り目６２と折り目６４とが対角方向に離れて、長方形筒状の本体部４２が形成される。
【００６６】
また、第２底板５１は、二等辺三角形状の第２底板本体部５１ａと糊代部５１ｂとを有していて、上記第２底板１１と同様の構成になっているとともに、第４底板５３は、二等辺三角形状の第４底板本体部５３ａと糊代部５３ｂとを有していて、上記第４底板１３と同様の構成になっている。そうして、第１底板本体部５０ａおよび第３底板本体部５２ａは、上記第１底板本体部１０ａおよび第３底板本体部１２ａを本体部４２の長辺方向にそれぞれ延長したものであり、上記実施形態１と同様に、第２底板５１および第４底板５３の糊代部５１ｂ，５３ｂがそれぞれ貼り付けられている。それ故、底部４４についても、本体部４２が長方形筒状に変形するのに伴って、上記底部４と同様の変形をすることになる。
【００６７】
具体的には、閉じていた折り目６１，６３が開くのに伴い、閉じていた折り目６９，７０，７１，７２，７３，７４が開いて、折り重なっていた第１底部４４ａおよび第２底部４４ｂが展開される。これと併行して、折り目６２，６４が閉じるのに伴い、２つの部位に分かれていた第１底部４４ａと第２底部４４ｂとが対角方向に近づく。そうして、長方形筒状の本体部４２が形成されると、第１底板本体部５０ａの上底と第３底板本体部５２ａの上底とが当接するとともに、第２底板本体部５１ａの等辺が第３底板５２の外側面に当接し、且つ、第４底板本体部５３ａの等辺が第１底板５０の外側面に当接することで、本体部４２の下側の開口が閉塞される。このとき、第１底板５０の３つの第１係合部５０ｂの間に、第３底板５２の２つの第２係合部５２ｂが嵌ることでロックが掛かり、本体部４２が長方形筒状になり、且つ、第１底部４４ａと第２底部４４ｂとが繋がり、本体部４２の下側の開口が底部４４によって閉塞された状態が維持される。
【００６８】
もっとも、第１底板本体部５０ａおよび第３底板本体部５２ａは、第１底板本体部１０ａおよび第３底板本体部１２ａを本体部４２の長辺方向にそれぞれ延長したものであるから、その一部が第２および第４底板本体部５１ａ，５３ａによって外側から隠れることによって、上記実施形態１とは異なり、等脚台形状の部分が底部４４の外表面に表れることになる。それ故、底部４が四角錐状に窪んだのとは異なり、底部４４は寄棟状に窪むことになる。
【００６９】
図１０は、包装容器４１を斜め正面から見た図である。なお、図１０では、図を見易くするために、正面板４５や蓋部４３を図示省略している。包装容器４１は、図１０に示すように、長方形筒状の本体部４２の内部に例えば仕切り板５４を設けることで、複数のガラス容器１１０を収容することが可能となる。そうして、本実施形態の包装容器４１では、各ガラス容器１１０に対して個別の緩衝構造を設けることなく、寄棟状に窪む単一の底部４４によって、複数のガラス容器１１０を本体部４２の下端よりも上側で支持することが可能となることから、包装容器４１の下端に衝撃が作用した場合でも、簡単な構造で複数のガラス容器１１０の破損を抑えることができる。
【００７０】
（その他の実施形態）
本発明は、実施形態に限定されず、その精神または主要な特徴から逸脱することなく他の色々な形で実施することができる。
【００７１】
上記各実施形態では、ガラス容器１１０に本発明の包装容器１，４１を適用したが、これに限らず、包装容器１，４１の下端に衝撃が作用した場合に壊れるおそれのある物であれば、どのような包装対象物に本発明の包装容器１，４１を適用してもよい。
【００７２】
また、上記各実施形態では、コートボールを用いて包装容器１，４１を形成したが、これに限らず、例えば、カートン紙、カップ原紙、ダンボール紙等を用いて包装容器を形成してもよい。また、包装容器１，４１は紙製に限定されるものではなく、例えば樹脂材料を用いて包装容器を形成してもよい。
【００７３】
さらに、上記各実施形態では、角形筒状の本体部２，４２を備える包装容器１，４１について説明したが、これに限らず、例えば、図１１に示すように、円筒状の本体部８２と、円錐状に窪む底部８４とを備える包装容器８１であってもよい。この包装容器８１は、筒状の本体部８２と、当該本体部８２の下側の開口を閉塞する底部８４とを備え、底部８４が、内側に行くほど上方に向かって傾斜する傾斜面を有していて、当該底部８４全体（少なくとも一部）が本体部８２の内方に窪んでいる包装容器の一態様といえる。
【００７４】
また、例えば、図１２に示すように、六角形筒状の本体部９２と、六角錐状に窪む底部９４とを備える包装容器９１であってもよい。この包装容器９１は、多角形筒状の本体部９２と、当該本体部９２の下側の開口を閉塞する底部９４とを備え、底部９４が、本体部９２の各底辺から内側に行くほど上方に向かって傾斜する傾斜面を有していて、当該底部９４全体（少なくとも一部）が本体部９２の内方に多角錐状に窪んでいる包装容器の一態様といえる。
【００７５】
さらに、例えば、図１３に示すように、矩形筒状の本体部１０２と、角錐台状に窪む底部１０４とを備える包装容器１０１であってもよい。このように、底部１０４が錐状に窪んでいない包装容器１０１も、多角形筒状の本体部１０２と、当該本体部１０２の下側の開口を閉塞する底部１０４とを備え、底部１０４が、本体部１０２の各底辺から内側に行くほど上方に向かって傾斜する傾斜面を有していて、当該底部１０４全体（少なくとも一部）が本体部１０２の内方に窪んでいる包装容器の一態様といえる。
【００７６】
以上の包装容器８１，９１，１０１においても、それぞれ円錐状、六角錐状、角錐台状に窪む底部８４，９４，１０４によって、ガラス容器１１０を本体部８２，９２，１０２の下端よりも上側で支持することが可能であることから、包装容器８１，９１，１０１の下端に衝撃が作用した場合でも、簡単な構造でガラス容器１１０の破損を抑えることができる。なお、図１１〜図１３では、図を見易くするために、蓋部を図示省略している。
【００７７】
このように、上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００７８】
本発明によると、包装容器の下端に衝撃が作用した場合でも、簡単な構造で包装対象物の破損を抑えることができるので、壊れ易い物を包装する包装容器に適用して極めて有益である。
【符号の説明】
【００７９】
１、４１、８１、９１、１０１        包装容器
２、４２、８２、９２、１０２        本体部
４、４４、８４、９４、１０４        底部
４ａ、４４ａ                        第１底部
４ｂ、４４ｂ                        第２底部
１０ｂ、５０ｂ                      第１係合部（係合部）
１２ｂ、５２ｂ                      第２係合部（係合部）
【図１】
2017114530.tif 000003
【図２】
2017114530.tif 000004
【図３】
2017114530.tif 000005
【図４】
2017114530.tif 000006
【図５】
2017114530.tif 000007
【図６】
2017114530.tif 000008
【図７】
2017114530.tif 000009
【図８】
2017114530.tif 000010
【図９】
2017114530.tif 000011
【図１０】
2017114530.tif 000012
【図１１】
2017114530.tif 000013
【図１２】
2017114530.tif 000014
【図１３】
2017114530.tif 000015